(57)【特許請求の範囲】
【請求項１】
治療を対象に提供するためのシステムであって、前記システムは、
ランナあたり少なくとも２回の完全な回転に配列された２つの絡み合った螺旋状に巻かれたランナを含む本体であって、前記本体は、重心を有する環状体形状に配列され、前記重心は、前記対象および／または前記対象の身体部分の一方あるいは両方に、もしくは、その近傍に配列されている、本体と、
第１のランナの周囲に渦巻状に巻かれた第１のワイヤであって、前記第１のワイヤは、伝導性である、第１のワイヤと、
前記第１のワイヤの２つの導線であって、前記２つの導線は、治療を前記対象に提供する電磁場が前記重心またはその近傍に生成されるように、前記第１のランナに沿った前記第１のワイヤを通して第１の電流を受け取るために電流源と電気的に結合されるように構成されている、２つの導線と
を備える、システム。
【請求項２】
前記第１のワイヤは、前記第１のワイヤが前記第１のランナと整合する軸を有する螺旋形状に配列されるように、前記本体の前記第１のランナの周囲に渦巻状に巻かれている、請求項１に記載のシステム。
【請求項３】
前記電流源をさらに備え、前記電流源は、前記第１のワイヤを通る前記第１の電流が、交流電流であるように構成され、前記交流電流は、０Ｈｚと３０ｋＨｚとの間の周波数を有し、前記交流電流は、約２５０ｍＡ未満である、請求項１に記載のシステム。
【請求項４】
前記第１のワイヤは、前記第１のワイヤが前記第１のランナの周囲にバイファイラーコイルを形成するように巻かれている、請求項２に記載のシステム。
【請求項５】
前記第１のワイヤは、前記第１のワイヤが前記第１のランナの周囲にカドゥケウス巻を形成するように巻かれている、請求項２に記載のシステム。
【請求項６】
前記電流源をさらに備え、前記電流源は、約１．６Ｖ未満の二乗平均平方根電圧が前記第１のワイヤの前記２つの導線に供給されるように構成されている、請求項１に記載のシステム。
【請求項７】
前記電流源は、約０．２５Ｖよりも大きい二乗平均平方根電圧が前記第１のワイヤの前記２つの導線に供給されるように構成されている、請求項６に記載のシステム。
【請求項８】
第２のランナの周囲に渦巻状に巻かれた第２のワイヤをさらに備え、前記第２のワイヤは、伝導性であり、前記第２のワイヤの２つの導線は、前記電磁場が修正されるように、前記第２のランナに沿った前記第２のワイヤを通して第２の電流を受け取るために第２の電流源と電気的に結合されるように構成されている、請求項１に記載のシステム。
【請求項９】
前記第１の電流および前記第２の電流は、同様の方向に流れる、請求項８に記載のシステム。
【請求項１０】
前記第１の電流および前記第２の電流は、異なる方向に流れる、請求項８に記載のシステム。
【請求項１１】
前記本体は、前記重心を通る通路を形成し、前記本体は、前記本体の前記環状体形状の前記重心を通る前記通路が約１インチと約４フィートとの間の直径を有するように形成されている、請求項１に記載のシステム。
【請求項１２】
治療を対象に提供するためのシステムであって、前記システムは、
ランナあたり少なくとも２回の完全な回転に配列された２つの絡み合った螺旋状に巻かれたランナを含む本体であって、前記本体は、重心を有する環状体形状に配列され、前記重心は、前記対象および／または前記対象の身体部分の一方あるいは両方に、もしくは、その近傍に配列されている、本体と、
第１のランナによって保持された第１のワイヤであって、前記第１のワイヤは、伝導性であり、前記第１のワイヤは、前記第１のランナの周囲に渦巻状に巻かれることにより、前記第１のランナの周囲に第１のバイファイラーコイルを形成する、第１のワイヤと、
第２のランナによって保持された第２のワイヤであって、前記第２のワイヤは、伝導性であり、前記第２のワイヤは、前記第２のランナの周囲に渦巻状に巻かれることにより、前記第２のランナの周囲に第２のバイファイラーコイルを形成する、第２のワイヤと、
前記第１のワイヤの２つの導線であって、前記第１のワイヤの２つの導線は、電磁場が前記重心またはその近傍に生成されるように、前記第１のワイヤを通して第１の電流を受け取るために電流源に電気的に結合されるように構成され、前記電磁場は、治療を前記対象に提供する、前記第１のワイヤの２つの導線と、
前記第２のワイヤの２つの導線であって、前記第２のワイヤの２つの導線は、前記電磁場が修正されるように、前記第２のワイヤを通して第２の電流を受け取るために前記電流源に電気的に結合されるように構成されている、前記第２のワイヤの２つの導線と、
１つ以上の抵抗要素であって、前記１つ以上の抵抗要素は、前記第１のワイヤ、前記第２のワイヤ、および前記１つ以上の抵抗要素の公称インピーダンスが、前記電流源のインピーダンスに実質的に整合する所定の値を有するように、前記第１のワイヤおよび／または前記第２のワイヤの一方あるいは両方に電気的に結合されている、１つ以上の抵抗要素と
を備える、システム。
【請求項１３】
前記電流源をさらに備え、前記電流源は、前記第１の電流および第２の電流が、０Ｈｚと約２０ｋＨｚとの間の周波数を有する交流電流であるように構成されている、請求項１２に記載のシステム。
【請求項１４】
前記第１のワイヤの２つの導線は、前記第１の電流が音声信号に対応するように、前記音声信号に電気的に結合されている、請求項１３に記載のシステム。
【請求項１５】
治療を対象に提供するように構成されたシステムであって、前記システムは、
ランナあたり少なくとも２回の完全な回転に配列された２つの絡み合った螺旋状に巻かれたランナを含む本体であって、前記本体は、重心を有する環状体形状に配列され、前記重心は、前記対象および／または前記対象の身体部分の一方あるいは両方に、もしくは、その近傍に配列されている、本体と、
第１のランナによって保持された第１のワイヤであって、前記第１のワイヤは、伝導性であり、前記第１のワイヤは、前記第１のランナの周囲に渦巻状に巻かれ、前記第１のワイヤは、電磁場が前記本体の前記環状体形状の前記重心またはその近傍に生成されるように、前記第１のワイヤを通して第１の電流を受け取るように構成された２つの導線を有し、前記電磁場は、治療を前記対象に提供する、第１のワイヤと、
コンピュータプログラムモジュールを実行するように構成された１つ以上のプロセッサであって、前記コンピュータプログラムモジュールは、
音声情報を取得するように構成された音声入力モジュールと、
前記取得された音声情報に基づいて、音声信号を作成するように構成された再生モジュールと
を備える、プロセッサと
を備え、前記再生モジュールによって作成される音声信号は、前記第１の電流が前記音声信号に対応するように、前記第１のワイヤの前記２つの導線に電気的に結合されている、システム。
【請求項１６】
音声信号を増幅するように構成された増幅器をさらに備え、前記増幅器は、入力および出力を有し、前記増幅器は、前記再生モジュールによって作成される前記音声信号が前記増幅器の前記入力に電気的に結合されるように配列され、前記増幅器は、前記増幅器の前記出力からの前記増幅された音声が前記第１のワイヤの前記２つの導線に電気的に結合されるようにさらに配列されている、請求項１５に記載のシステム。
【請求項１７】
前記第１のワイヤは、前記第１のランナの周囲に渦巻状に巻かれることにより、バイファイラーコイルを形成する、請求項１５に記載のシステム。
【請求項１８】
１つ以上の抵抗要素をさらに備え、前記１つ以上の抵抗要素は、前記第１のワイヤおよび前記１つ以上の抵抗要素の公称インピーダンスが所定の値を有するように、前記第１のワイヤに電気的に結合されている、請求項１５に記載のシステム。
【発明の詳細な説明】
【技術分野】
【０００１】
（関連出願）
本願は、米国特許出願第１３／４５８，７１６号（２０１２年４月２７日出願、名称「ＨＥＡＬＴＨ  ＡＰＰＬＩＣＡＴＩＯＮＳ  ＯＦ  Ａ  ＤＯＵＢＬＥ  ＨＥＬＩＸ  ＣＯＮＤＵＣＴＯＲ」）に基づく優先権を主張し、その出願は、米国特許出願第６１／６３３，５９３号（２０１２年２月１３日出願、名称「ＨＥＡＬＴＨ  ＡＰＰＬＩＣＡＴＩＯＮＳ  ＯＦ  Ａ  ＤＯＵＢＬＥ  ＨＥＬＩＸ  ＣＯＮＤＵＣＴＯＲ」）に基づく優先権を主張する。本願は、米国特許出願第１３／２１３，６０４号（２０１１年８月１９日出願、名称「ＤＯＵＢＬＥ  ＨＥＬＩＸ  ＣＯＮＤＵＣＴＯＲ」）ならびに米国特許出願第１３／４５７，３４７号（２０１２年４月２６日出願、名称「ＳＹＳＴＥＭ  ＣＯＮＦＩＧＵＲＡＴＩＯＮ  ＵＳＩＮＧ  Ａ  ＤＯＵＢＬＥ  ＨＥＬＩＸ  ＣＯＮＤＵＣＴＯＲ」）に関連している。これによって、これらの出願は、それらの全体が参照によって本願に援用される。
【０００２】
（発明の分野）
本発明は、周囲に１つ以上の伝導性ワイヤが巻かれ得る螺旋状に巻かれたランナとして構築された本体と、そのような本体を含むように構成された電気デバイスおよび／またはシステムと、その健康／医療用途とに関する。
【背景技術】
【０００３】
（発明の背景）
渦巻状に巻かれた電気導体が特定の電磁特性を呈すること、および／または渦巻状に巻かれた電気導体が特定の電磁場を発生させるために使用され得ることは公知である。例えば、電磁コイルが、インダクタおよび／または変圧器の一部として作用し得、電気回路内において多くの確立された有用な用途を有することは公知である。電磁コイルの用途は、例えば、活性電流源がコイルに動作可能に結合されるときに生成される電磁場を利用してもよい。
【発明の概要】
【課題を解決するための手段】
【０００４】
（概要）
本発明の一側面は、治療を対象に提供し、かつ／または対象における健康効果を増進させるためのシステムに関する。本システムは、本体と、１つ以上の伝導性ワイヤとを含む。本体は、ランナあたり少なくとも２回の完全な回転に配列された２つの絡み合った螺旋状に巻かれたランナを含む。本体は、重心を有する環状体形状に配列される。重心は、対象および／または対象の身体部分の一方あるいは両方に、もしくは、その近傍に配列される。第１のワイヤは、第１のランナの周囲に渦巻状に巻かれる。第１のワイヤは、伝導性である。第１のワイヤの２つの導線は、治療を対象に提供する電磁場が重心またはその近傍に生成されるように、第１のランナに沿った第１のワイヤを通して第１の電流を受け取るために電流源と電気的に結合されるように構成される。
【０００５】
本発明の一側面は、治療を対象に提供し、かつ／または対象における健康効果を増進させるためのシステムに関する。本システムは、本体と、第１のワイヤと、第２のワイヤと、第１のワイヤの２つの導線と、第２のワイヤの２つの導線と、１つ以上の抵抗要素とを含む。本体は、ランナあたり少なくとも２回の完全な回転に配列された２つの絡み合った螺旋状に巻かれたランナを含む。本体は、重心を有する環状体形状に配列される。重心は、対象および／または対象の身体部分の一方あるいは両方に、もしくは、その近傍に配列される。第１のワイヤは、第１のランナによって保持される。第１のワイヤは、伝導性である。第１のワイヤは、第１のランナの周囲に渦巻状に巻かれ、第１のランナの周囲にバイファイラーコイルを形成する。第２のワイヤは、第２のランナによって保持される。第２のワイヤは、伝導性である。第２のワイヤは、第２のランナの周囲に渦巻状に巻かれ、第２のランナの周囲に第２のバイファイラーコイルを形成する。第１のワイヤの２つの導線は、電磁場が重心またはその近傍に生成されるように、第１のワイヤを通して第１の電流を受け取るために電流源に電気的に結合されるように構成される。電磁場は、治療を対象に提供する。第２のワイヤの２つの導線は、電磁場が修正されるように、第２のワイヤを通して第２の電流を受け取るために電流源に電気的に結合されるように構成される。１つ以上の抵抗要素は、第１のワイヤ、第２のワイヤ、および１つ以上の抵抗要素の公称インピーダンスが、電流源のインピーダンスに実質的に整合する所定の値を有するように、第１のワイヤおよび／または第２のワイヤの一方あるいは両方に電気的に結合される。
【０００６】
本発明の一側面は、治療を対象に提供し、かつ／または対象における健康効果を増進させるためのシステムに関する。本システムは、本体と、第１のワイヤと、１つ以上のプロセッサと、音声入力モジュールと、再生モジュールとを含む。本体は、ランナあたり少なくとも２回の完全な回転に配列された２つの絡み合った螺旋状に巻かれたランナを含む。本体は、重心を有する環状体形状に配列される。重心は、対象および／または対象の身体部分の一方あるいは両方に、もしくは、その近傍に配列される。第１のワイヤは、第１のランナによって保持される。第１のワイヤは、伝導性である。第１のワイヤは、第１のランナの周囲に渦巻状に巻かれる。第１のワイヤは、電磁場が本体の環状体形状の重心またはその近傍に生成されるように、第１のワイヤを通して第１の電流を受け取るために電流源に電気的に結合されるように構成された２つの導線を含む。電磁場は、治療を対象に提供する。１つ以上のプロセッサは、コンピュータプログラムモジュールを実行するように構成される。コンピュータプログラムモジュールは、音声入力モジュールと、再生モジュールとを含む。音声入力モジュールは、音声情報を取得するように構成される。再生モジュールは、取得された音声情報に基づいて、音声信号を作成するように構成される。再生モジュールによって作成される音声信号は、第１の電流が音声信号に対応するように、第１のワイヤの２つの導線に電気的に結合される。
【０００７】
本発明の一側面は、治療を対象に提供し、かつ／または対象における健康効果を増進させる方法に関する。本方法は、対象および／または対象の身体部分の一方あるいは両方に、もしくは、その近傍に本体を配列することを含む。本体は、ランナあたり少なくとも２回の完全な回転に配列された２つの絡み合った螺旋状に巻かれたランナを含む。本体は、重心を有する環状体形状に配列される。本体はさらに第１のランナによって保持された第１のワイヤを含む。第１のワイヤは、第１のランナの周囲に渦巻状に巻かれる。第１のワイヤは、伝導性である。第１のワイヤは、第１のワイヤを通して第１の電流を受け取るために電流源に電気的に結合されるように構成された２つの導線を含む。本方法はさらに、電磁場が重心またはその近傍に生成されるように、第１の電流を第１のワイヤの２つの導線に供給することを含む。電磁場は、治療を対象に提供する。
【０００８】
本開示のこれらおよび他の目的、特徴、ならびに特性と、構造の関連構成要素および部分の組み合わせの動作の方法ならびに機能と、製造の経済性とは、付随の図面を参照して、以下の説明および添付の特許請求の範囲を検討することによって、より明白となり、その図面は、本明細書の一部を形成し、同様の参照番号が、種々の図中の対応する部分を指定する。しかしながら、図面は、例証および説明の目的にすぎず、任意の限定の定義として意図されないことを明示的に理解されたい。本明細書および特許請求の範囲において使用される倍、単数形「ａ」、「ａｎ」、および「ｔｈｅ」は、文脈によって明確に別様に示されない限り、複数の指示対象を含む。
本発明は、例えば、以下を提供する。
（項目１）
治療を対象に提供するためのシステムであって、前記システムは、
ランナあたり少なくとも２回の完全な回転に配列された２つの絡み合った螺旋状に巻かれたランナを含む本体であって、前記本体は、重心を有する環状体形状に配列され、前記重心は、前記対象および／または前記対象の身体部分の一方あるいは両方に、もしくは、その近傍に配列されている、本体と、
第１のランナの周囲に渦巻状に巻かれた第１のワイヤであって、前記第１のワイヤは、伝導性である、第１のワイヤと、
前記第１のワイヤの２つの導線であって、前記２つの導線は、治療を前記対象に提供する電磁場が前記重心またはその近傍に生成されるように、前記第１のランナに沿った前記第１のワイヤを通して第１の電流を受け取るために電流源と電気的に結合されるように構成されている、２つの導線と
を備える、システム。
（項目２）
前記第１のワイヤは、前記第１のワイヤが前記第１のランナと整合する軸を有する螺旋形状に配列されるように、前記本体の前記第１のランナの周囲に渦巻状に巻かれている、項目１に記載のシステム。
（項目３）
前記電流源をさらに備え、前記電流源は、前記第１のワイヤを通る前記第１の電流が、交流電流であるように構成され、前記交流電流は、０Ｈｚと３０ｋＨｚとの間の周波数を有し、前記交流電流は、約２５０ｍＡ未満である、項目１に記載のシステム。
（項目４）
前記第１のワイヤは、前記第１のワイヤが前記第１のランナの周囲にバイファイラーコイルを形成するように巻かれている、項目２に記載のシステム。
（項目５）
前記第１のワイヤは、前記第１のワイヤが前記第１のランナの周囲にカドゥケウス巻を形成するように巻かれている、項目２に記載のシステム。
（項目６）
前記電流源をさらに備え、前記電流源は、約１．６Ｖ未満の二乗平均平方根電圧が前記第１のワイヤの２つの導線に供給されるように構成されている、項目１に記載のシステム。
（項目７）
前記電流源は、約０．２５Ｖよりも大きい二乗平均平方根電圧が前記第１のワイヤの２つの導線に供給されるように構成されている、項目６に記載のシステム。
（項目８）
第２のランナの周囲に渦巻状に巻かれた第２のワイヤをさらに備え、前記第２のワイヤは、伝導性であり、前記第２のワイヤの２つの導線は、前記電磁場が修正されるように、前記第２のランナに沿った前記第２のワイヤを通して第２の電流を受け取るために第２の電流源と電気的に結合されるように構成されている、項目１に記載のシステム。
（項目９）
前記第１の電流および前記第２の電流は、同様の方向に流れる、項目８に記載のシステム。
（項目１０）
前記第１の電流および前記第２の電流は、異なる方向に流れる、項目８に記載のシステム。
（項目１１）
前記本体は、前記重心を通る通路を形成し、前記本体は、前記本体の環状体形状の重心を通る通路が約１インチと約４フィートとの間の直径を有するように形成されている、項目１に記載のシステム。
（項目１２）
治療を対象に提供するためのシステムであって、前記システムは、
ランナあたり少なくとも２回の完全な回転に配列された２つの絡み合った螺旋状に巻かれたランナを含む本体であって、前記本体は、重心を有する環状体形状に配列され、前記重心は、前記対象および／または前記対象の身体部分の一方あるいは両方に、もしくは、その近傍に配列されている、本体と、
第１のランナによって保持された第１のワイヤであって、前記第１のワイヤは、伝導性であり、前記第１のワイヤは、前記第１のランナの周囲に渦巻状に巻かれることにより、前記第１のランナの周囲に第１のバイファイラーコイルを形成する、第１のワイヤと、
第２のランナによって保持された第２のワイヤであって、前記第２のワイヤは、伝導性であり、前記第２のワイヤは、前記第２のランナの周囲に渦巻状に巻かれることにより、前記第２のランナの周囲に第２のバイファイラーコイルを形成する、第２のワイヤと、
前記第１のワイヤの２つの導線であって、前記第１のワイヤの２つの導線は、電磁場が前記重心またはその近傍に生成されるように、前記第１のワイヤを通して第１の電流を受け取るために電流源に電気的に結合されるように構成され、前記電磁場は、治療を前記対象に提供する、前記第１のワイヤの２つの導線と、
前記第２のワイヤの２つの導線であって、前記第２のワイヤの２つの導線は、前記電磁場が修正されるように、前記第２のワイヤを通して第２の電流を受け取るために前記電流源に電気的に結合されるように構成されている、前記第２のワイヤの２つの導線と、
１つ以上の抵抗要素であって、前記１つ以上の抵抗要素は、前記第１のワイヤ、前記第２のワイヤ、および前記１つ以上の抵抗要素の公称インピーダンスが、前記電流源のインピーダンスに実質的に整合する所定の値を有するように、前記第１のワイヤおよび／または前記第２のワイヤの一方あるいは両方に電気的に結合されている、１つ以上の抵抗要素と
を備える、システム。
（項目１３）
前記電流源をさらに備え、前記電流源は、前記第１の電流および第２の電流が、０Ｈｚと約２０ｋＨｚとの間の周波数を有する交流電流であるように構成されている、項目１２に記載のシステム。
（項目１４）
前記第１のワイヤの２つの導線は、前記第１の電流が音声信号に対応するように、前記音声信号に電気的に結合されている、項目１３に記載のシステム。
（項目１５）
治療を対象に提供するように構成されたシステムであって、前記システムは、
ランナあたり少なくとも２回の完全な回転に配列された２つの絡み合った螺旋状に巻かれたランナを含む本体であって、前記本体は、重心を有する環状体形状に配列され、前記重心は、前記対象および／または前記対象の身体部分の一方あるいは両方に、もしくは、その近傍に配列されている、本体と、
第１のランナによって保持された第１のワイヤであって、前記第１のワイヤは、伝導性であり、前記第１のワイヤは、前記第１のランナの周囲に渦巻状に巻かれ、前記第１のワイヤは、電磁場が前記本体の環状体形状の重心またはその近傍に生成されるように、前記第１のワイヤを通して第１の電流を受け取るように構成された２つの導線を有し、前記電磁場は、治療を前記対象に提供する、第１のワイヤと、
コンピュータプログラムモジュールを実行するように構成された１つ以上のプロセッサであって、前記コンピュータプログラムモジュールは、
音声情報を取得するように構成された音声入力モジュールと、
前記取得された音声情報に基づいて、音声信号を作成するように構成された再生モジュールと
を備える、プロセッサと
を備え、前記再生モジュールによって作成される音声信号は、前記第１の電流が前記音声信号に対応するように、前記第１のワイヤの２つの導線に電気的に結合されている、システム。
（項目１６）
音声信号を増幅するように構成された増幅器をさらに備え、前記増幅器は、入力および出力を有し、前記増幅器は、前記再生モジュールによって作成される前記音声信号が前記増幅器の前記入力に電気的に結合されるように配列され、前記増幅器は、前記増幅器の前記出力からの増幅された音声が前記第１のワイヤの２つの導線に電気的に結合されるようにさらに配列されている、項目１５に記載のシステム。
（項目１７）
前記第１のワイヤは、前記第１のランナの周囲に渦巻状に巻かれることにより、バイファイラーコイルを形成する、項目１５に記載のシステム。
（項目１８）
１つ以上の抵抗要素をさらに備え、前記１つ以上の抵抗要素は、前記第１のワイヤおよび前記１つ以上の抵抗要素の公称インピーダンスが所定の値を有するように、前記第１のワイヤに電気的に結合されている、項目１５に記載のシステム。
（項目１９）
治療を対象に提供する方法であって、前記方法は、
前記対象および／または前記対象の身体部分の一方あるいは両方に、もしくは、その近傍に本体を配列することであって、前記本体は、
ランナあたり少なくとも２回の完全な回転に配列された２つの絡み合った螺旋状に巻かれたランナであって、前記本体は、重心を有する環状体形状に配列されている、ランナと、
第１のランナによって保持された第１のワイヤであって、前記第１のワイヤは、前記第１のランナの周囲に渦巻状に巻かれ、前記第１のワイヤは、伝導性であり、前記第１のワイヤは、前記第１のワイヤを通して第１の電流を受け取るために電流源に電気的に結合されるように構成された２つの導線を有する、第１のワイヤと
を備える、ことと、
電磁場が前記重心またはその近傍に生成されるように、前記第１の電流を前記第１のワイヤの２つの導線に供給することであって、前記電磁場は、治療を前記対象に提供する、ことと
を含む、方法。
（項目２０）
前記第１のワイヤは、前記第１のワイヤが前記第１のランナと整合する軸を有する螺旋形状に配列されるように、前記本体の第１のランナの周囲に渦巻状に巻かれることにより、前記第１のランナの周囲にバイファイラーコイルを形成する、項目１９に記載の方法。
（項目２１）
前記第１のワイヤを通る第１の電流は、交流電流であり、前記交流電流は、０Ｈｚと３０ｋＨｚとの間の周波数を有し、前記交流電流は、約２５０ｍＡ未満である、項目１９に記載の方法。
（項目２２）
前記第１の電流は、約１．６Ｖ未満の二乗平均平方根電圧が前記第１のワイヤの２つの導線に供給されるように供給される、項目１９に記載の方法。
（項目２３）
音声情報を取得することと、
前記取得された音声情報に基づいて、音声信号を作成することと、
前記第１の電流が前記音声信号に対応するように、前記音声信号を前記第１のワイヤの２つの導線に電気的に結合することと
をさらに含む、項目１９に記載の方法。
【図面の簡単な説明】
【０００９】
【図１】図１は、１つ以上の実施形態による、治療を対象に提供し、かつ／または対象における健康効果を増進させるためのシステムを概略的に図示する。
【図２】図２は、１つ以上の実施形態による、治療を対象に提供し、かつ／または対象における健康効果を増進させるためのシステムを概略的に図示する。
【図３】図３は、１つ以上の実施形態による、治療を対象に提供し、かつ／または対象における健康効果を増進させる方法を図示する。
【図４】図４は、１つ以上の実施形態による、治療を対象に提供し、かつ／または対象における健康効果を増進させるためのシステムを概略的に図示する。
【発明を実施するための形態】
【００１０】
（詳細な説明）
図１は、１つ以上の実施形態による、治療を対象１０６に提供し、かつ／または対象１０６における健康効果を増進させるためのシステム１０を図示する。治療および／または健康効果として、限定ではないが、疼痛緩和、不快感の緩和、炎症の軽快、可動域の改善、毛髪成長、組織修復、再生効果、循環の改善、微小循環の改善、および／または生体における他のタイプの治療および／または健康効果のうちの１つ以上が挙げられ得る。システム１０は、本体８５、第１のワイヤ８６、電流源１１、および／または他の構成要素を含んでもよい。本体８５のサイズに対する対象１０６のサイズの描写は、限定を意味するものではない。
【００１１】
図１におけるシステム１０の本体８５は、２つの絡み合った螺旋状に巻かれたランナ、すなわち、ランナ８８およびランナ８９を含み、ランナ８８およびランナ８９は、同一の（円形）軸を共有し、支柱９０によって結合され、一方または両方のランナの周囲に渦巻状に巻かれた１つ以上の伝導性ワイヤを有する。言い換えると、本体８５のランナ８８およびランナ８９は、コアを形成し、その周囲に、ワイヤ８６およびワイヤ８７が、それぞれ、渦巻状に巻かれる。図１に描写されるように、本体８５は、２つのワイヤ、すなわち、ワイヤ８６およびワイヤ８７を含む。いくつかの実施形態では、システム１０は、１つのランナ、３つのランナ、および／または別の数のランナを含む。
【００１２】
図１におけるシステム１０の本体８５のランナ８８およびランナ８９は、合わせて配列されたその端部を曲げた、螺旋と類似または実質的に同一の３次元曲線の形状に配列される。本体８５の形状は、ＤＮＡの一般的形状に類似することに留意されたい。ランナの断面の形状は、円形、卵形、正方形、三角形、長方形、角張った形状、多角形、および／または他の形状のうちの１つ以上を含んでもよい。ランナの断面の幅および高さは、実施目的のために限定されてもよい。例えば、本明細書に説明される目的のために、いくつかの実施形態では、例えば、図１に示されるように、本体８５の周縁内に利用可能な空間が存在するように、本体８５を配列することが好ましくあり得る。図１に描写されるように、ランナ８８およびランナ８９の断面の形状は、円形であってもよい。本開示の実施形態は、所与の例のいずれによっても限定されるよう意図されないことに留意されたい。
【００１３】
図１におけるシステム１０のランナ８８、ランナ８９、および／または支柱９０は、プラスチック、金属（銅、ニッケル、鉄、軟鉄、ニッケル合金、および／または他の金属ならびに合金を含む）でめっきされたプラスチック、ならびに／あるいは他の材料のうちの１つ以上から製造されてもよい。いくつかの実施形態では、ランナ８８、ランナ８９、および支柱９０は、非伝導性材料から製造される。ランナ８８、ランナ８９、および支柱９０は、異なる材料から製造されてもよい。ランナ８８、ランナ８９、および支柱９０は、一体構造を通じて製造されるか、または組み立ての前に、別個に形成されてもよい。前記述は、決して、本体の製造（プロセス）を本体８５と類似または実質的に同一のものに限定することを意図するものではない。
【００１４】
図１を参照すると、本説明に含まれる任意の図に列挙される任意のワイヤのようなワイヤ８６およびワイヤ８７は、絶縁されるか、絶縁されないか、または部分的に絶縁され、部分的に絶縁されなくてもよい。
【００１５】
図１におけるシステム１０の本体８５の形状は、概して、環状体であってもよい。いくつかの実施形態では、システム１０の本体は、円形形状、多角形形状、および／または他の形状を含む任意の平面形状に配列されてもよい。代替として、および／または同時に、本体８５等の本体は、３次元曲線（空間曲線として知られる）に配列されてもよい。本体８５のランナ８８およびランナ８９は、コアを形成してもよく、その周囲に、ワイヤ８６およびワイヤ８７が、それぞれ、渦巻状に巻かれる。したがって、ワイヤ８６は、ランナ８９と整合する軸を有する螺旋形状に配列されてもよく、ワイヤ８７は、ランナ８８と整合する軸を有する螺旋形状に配列されてもよい。図１に示されるように、ワイヤ８６および８７は、本体８５の支柱９０のいずれかの周囲および／または支柱９０のうちの１つとランナ８８および８９のうちの１つとの間の任意の係合点の周囲を回るように巻かれてもよい。ランナの完全な１回転あたりのワイヤ巻数および／または隣接する支柱間のワイヤ巻数は、本体８５の特性測定値／特徴であり得る。図１では、ワイヤ８６は、ランナ８９と関連付けられた隣接する支柱間に約３〜５巻および／または他の数の巻数を成すように配列され、ワイヤ８７は、ランナ８８と関連付けられた隣接する支柱間に約３〜５巻および／または他の数の巻数を成すように配列される。図１の描写は、例示であって、限定を意図しない。
【００１６】
ワイヤ８６は、２つの導線、すなわち、導線８６ａおよび導線８６ｂを含んでもよい。ワイヤ８７は、２つの導線、すなわち、導線８７ａおよび導線８７ｂを含んでもよい。システム１０では、本体８５は、例えば電流源１１および／または電流源１２等の１つ以上の電源および／または電流源と電気的に結合され、１つ以上の電源および／または電流源は、ワイヤ８６およびワイヤ８７の一方または両方との電気結合が、例えば、電流源１１とワイヤ８６の導線８６ａおよび８６ｂの結合、および、電流源１２とワイヤ８７の導線８７ａおよび８７ｂの結合を通して確立され得るように配列される。ワイヤ８６に供給される電流は、直流電流または交流電流であってもよい。ワイヤ８７に供給される電流は、直流電流または交流電流であってもよい。ワイヤ８６およびワイヤ８７に供給される電流は、同一の方向または反対方向に流れてもよい。いくつかの実施形態では、ワイヤ８６およびワイヤ８７の導線は、同一の電流源と電気的に結合されてもよい。
【００１７】
交流電流の場合、０Ｈｚ〜１００ＧＨｚの範囲の動作周波数が、想定される。１ｐＡ〜１０Ａの範囲の動作電流が、想定される。１ｍＶ〜２０ｋＶの範囲の動作電圧が、想定される。いくつかの実施形態では、約１．６Ｖ未満の二乗平均平方根電圧が、ワイヤ８６および／またはワイヤ８７に供給される。いくつかの実施形態では、約０．２５Ｖを上回る二乗平均平方根電圧が、ワイヤ８６および／またはワイヤ８７に供給される。好ましい実施形態では、ワイヤ８６および／またはワイヤ８７に供給される交流電流の周波数は、０Ｈｚ〜２０ｋＨｚである。いくつかの実施形態では、電流は、約１ｐＡ、１ｎＡ、１ｍＡ、１００ｍＡ、２５０ｍＡ、５００ｍＡ、および／または他の電流量よりも小さい。ワイヤ８６およびワイヤ８７のための動作周波数は、同一であるか、または異なってもよい。ワイヤ８６およびワイヤ８７に供給される電流の他の電気動作特性（例えば、位相）は、同一であるか、または異なってもよい。システム１０は、電力が本体８５の１つ以上のワイヤに供給されると、本体８５内および／またはその周囲に生成される電磁場を利用するために使用されてもよい。電磁場は、治療を対象１０６に提供し、かつ／または対象における健康効果を増進させる。
【００１８】
本説明の目的のために、電磁場は、少なくとも所定の閾値レベルのテスラの電磁場であってもよい。所定の閾値は、１ｐＴ、１ｎＴ、１ｍＴ、１０ｍＴ、１００ｍＴ、および／または別の閾値であってもよい。
【００１９】
図１における本体８５と類似または実質的に同一の本体を含む（例えば、ワイヤ８６およびワイヤ８７を含む）電気システムのいくつかの実施形態は、ワイヤ８７内の電流と反対方向に流れる、ワイヤ８６内の電流を有するように構成されてもよい。いくつかの実施形態では、一方のワイヤに供給される電流は、直流電流であってもよい一方、別のワイヤに供給される電流は、交流電流であってもよい。非限定的例として、本体および／または本体を使用する電気システムのための付加的構造が、米国特許出願第１３／４５７，３４７号（２０１２年４月２６日出願、名称「Ｓｙｓｔｅｍ  Ｃｏｎｆｉｇｕｒａｔｉｏｎ  Ｕｓｉｎｇ  Ａ  Ｄｏｕｂｌｅ  Ｈｅｌｉｘ  Ｃｏｎｄｕｃｔｏｒ」）に説明され得、それによって、その出願は、参照によってその全体が本開示に援用される。本特許出願はまた、本明細書では、「第‘３４７号出願」とも称され得る。
【００２０】
本体８５と類似または実質的に同一の本体を含む電気システムのいくつかの実施形態は、１つ以上のランナの周囲にバイファイラーコイルを形成するように巻かれる１つ以上の伝導性ワイヤを含むように構成されてもよい。いくつかの実施形態では、巻き方は、カドゥケウス巻、エアトン・ペリー巻、３本巻、編組ワイヤ巻、および／または他のタイプの巻き方のうちの１つ以上であってもよい。非限定的例として、追加の巻き方が、第‘３４７号出願にも説明され得る。
【００２１】
いくつかの実施形態では、システム１０は、本体８５と類似または実質的に同一の複数の本体を含んでもよい。これらの複数の本体のための電流は、１つ以上の電源および／または電流源によって供給されてもよい。
【００２２】
いくつかの実施形態では、本体８５は、本体８５の周縁内の利用可能な空間および／または本体８５の形状の重心を通って形成される通路の寸法が、所定の寸法であるように構成されてもよい。いくつかの実施形態では、所定の寸法は、約１インチ、約１フィート、約２フィート、約４フィート、約６フィート、および／または別の好適な寸法の直径を含んでもよい。好適な寸法は、処置および／または治療を受け取る区域として使用され得るようなヒトの指、手首、肘、腕、足首、膝、脚、肩、（腰）背中、胴体、身体、および／または他の身体部分の平均サイズに依存してもよい。
【００２３】
いくつかの実施形態では、ワイヤ８６の導線８６ａおよび８６ｂとワイヤ８７の導線８７ａおよび８７ｂとは、同一の回路内で電気的に結合される。本回路は、例えば、抵抗器等の１つ以上の抵抗構成要素を含んでもよく、１つ以上の抵抗構成要素は、回路が、例えば、４オーム、８オーム、１６オーム、３２オーム、１００オーム、６００オーム、および／または別の所定の値等の所定の値の公称インピーダンスを有するように配列される。いくつかの実施形態では、所定の値は、例えば、オーディオ消費者電子機器を含む標準的消費者電子機器構成要素および／またはシステムのインピーダンスに整合するように選択されてもよい。これらの例は、決して限定として意図されない。非限定的例として、抵抗要素および／またはインピーダンス整合に関する付加的情報は、第‘３４７号出願に説明され得る。
【００２４】
例証として、図２は、治療を対象に提供し、かつ／または対象における健康効果を増進させるためのシステム１０ａを概略的に図示する。システム１０ａは、本体８５、プロセッサ１１０、ユーザインターフェース１２０、電子記憶装置１３０、および／または他の構成要素のうちの１つ以上を含んでもよい。図２における本体８５は、前述の図１における本体８５と類似または実質的に同一であってもよい。具体的には、図２における本体８５は、図１の本体８５に関連して本明細書に説明される、特徴、機能、および／または構造のうちの任意のものを含んでもよい。図２を参照すると、本体８５の１つ以上のワイヤは、電磁場が本体８５の環状体形状の重心またはその近傍に生成されるように、ワイヤの導線を通して電流を受け取るように構成される。電磁場は、治療を対象１０６に提供し、かつ／または対象１０６における健康効果を増進させる。
【００２５】
図２におけるシステム１０ａのプロセッサ１１０は、システム１０ａ内に情報処理能力を提供するように構成される。このとき、プロセッサ１１０は、デジタルプロセッサ、アナログプロセッサ、情報を処理するように設計されたデジタル回路、中央処理ユニット、グラフィック処理ユニット、情報を処理するように設計されたアナログ回路、状態機械、および／または情報を電子的に処理するための他のメカニズムのうちの１つ以上を含む。プロセッサ１１０は、単一エンティティとして、図２に示されるが、これは、例証目的にすぎない。いくつかの実施形態では、プロセッサ１１０は、複数の処理ユニットを含んでもよい。
【００２６】
図２に示されるように、プロセッサ１１０は、１つ以上のコンピュータプログラムモジュールを実行するように構成される。１つ以上のコンピュータプログラムモジュールは、音声入力モジュール１１１、再生モジュール１１２、および／または他のモジュールのうちの１つ以上を含む。プロセッサ１１０は、ソフトウェア；ハードウェア；ファームウェア；ソフトウェア、ハードウェア、および／またはファームウェアのある組み合わせ；ならびに／またはプロセッサ１１０上に処理能力を構成するための他のメカニズムによって、モジュール１１１−１１２を実行するように構成されてもよい。
【００２７】
モジュール１１１−１１２は、単一処理ユニット内にともに位置するように、図２に図示されるが、プロセッサ１１０が複数の処理ユニットを含む実施形態では、モジュール１１１−１１２のうちの１つ以上は、他のモジュールから遠隔に位置してもよいことを理解されたい。本明細書に説明される異なるモジュール１１１−１１２によって提供される機能性の説明は、例証目的であり、限定として意図されず、モジュール１１１−１１２のいずれも、説明されるものより多いまたは少ない機能性を提供してもよい。例えば、モジュール１１１−１１２のうちの１つ以上は、排除されてもよく、その機能性の一部または全部は、モジュール１１１−１１２の他のものに組み込まれ、それと共有され、その中に統合され、かつ／または別様にそれによって提供されてもよい。プロセッサ１１０は、モジュール１１１−１１２のうちの１つの下位に属する機能性の一部または全部を行い得る、１つ以上の付加的モジュールを実行するように構成されてもよいことに留意されたい。
【００２８】
音声入力モジュール１１１は、音声情報を取得するように構成されてもよい。いくつかの実施形態では、音声情報は、マイクロホンあるいは他の音響−電気変換器および／またはセンサを通して取得されてもよい。いくつかの実施形態では、音声情報は、記憶装置、例えば、電子記憶装置から取得されてもよい。記憶から取得された音声情報は、ＭＰ３、ＷＭＡ、ＷＡＶ、ＡＩＦＦ、および／または他のオーディオ形式を含むが、それらに限定されない、任意の形式における電子オーディオファイルを含んでもよい。オーディオ形式は、非圧縮、可逆圧縮、および／または不可逆圧縮であってもよい。音声情報は、蓄音機、ＣＤプレーヤ、ＤＶＤプレーヤ、ＡＭ無線、ＦＭ無線、および／または他の音源を含む、従来の音源から取得されてもよい。電子記憶装置は、システム１０ａに対してローカルであってもよく、かつ／または、例えば、インターネット等のネットワーク接続を通して遠隔位置からアクセス可能であってもよい。
【００２９】
再生モジュール１１２は、取得された音声情報に基づいて、音声信号を作成するように構成されてもよい。再生モジュール１１２によって作成される音声信号は、アナログ信号および／またはデジタル信号であってもよい。再生モジュール１１２によって作成される音声信号は、電気的、光学的、および／または他の媒体の使用であってもよい。再生モジュール１１２によって作成される音声信号は、ラインアウトコネクタ、チップ−リング−スリーブ（ＴＲＳ）コネクタ、先端−リング−リング−スリーブ（ＴＲＲＳ）コネクタ、ＴＯＳＬＩＮＫコネクタ、Ｓ／ＰＤＩＦコネクタ、ＦｉｒｅＷｉｒｅＴＭコネクタ、ＨＤＭＩ（登録商標）コネクタ、ＤＶＩコネクタ、ＵＳＢコネクタ、および／またはオーディオ信号を転送可能な他のコネクタを含むが、それらに限定されない、１つ以上の信号コネクタを通して、アクセス可能であってもよい。再生モジュール１１２によって作成される音声信号は、本体８５の１つ以上の伝導性ワイヤを通る電流が、作成された音声信号に対応するように、本体８５（図２に描写される）の１つ以上の伝導性ワイヤの導線に電気的に結合されてもよい。
【００３０】
いくつかの実施形態では、再生モジュール１１２によって作成される音声信号は、本体８５の１つ以上の伝導性ワイヤの導線に電気的に結合される前に、増幅器によって増幅されてもよい。いくつかの好ましい実施形態では、増幅器は、１００Ｗ〜４００Ｗの範囲のオーディオ増幅器であってもよい。他のタイプの増幅器および／または異なる電力範囲を有する増幅器もまた、想定される。
【００３１】
いくつかの実施形態では、音声入力モジュール１１１によって取得された音声情報は、音声治療および／または音声ヒーリングにおいて従来使用される音声を含んでもよく、かつ／または、それに対応してもよい。例えば、１つ以上の特定の周波数、波形、波形状、および／または振幅を有する音声信号は、再生効果および／または他の健康効果を有し得る。いくつかの実施形態では、音声は、以下の音声：「Ｏｍ」、「Ｕｈ」、「Ｏｏｏ」、「Ｏｈ」、「Ａｈ」、「Ｅｙｅ」、「Ａｙｅ」、「Ｅｅｅ」、および／または他の音声および／または語句のうちの１つ以上を生み出す人声を含んでもよい。いくつかの実施形態では、再生モジュール１１２は、所定の時間の間、無期限に、および／または、対象１０６および／またはユーザ１０８によって命令されるように、特定の音声情報、例えば、ＣＤまたは特定のＭＰ３ファイル上の特定のトラックをループおよび／または反復するように構成されてもよい。
【００３２】
図２におけるシステム１０ａの電子記憶装置１３０は、情報を電子的に記憶する電子記憶媒体を備える。電子記憶装置１３０の電子記憶媒体は、システム１０ａと一体的に提供される（すなわち、実質的に、取り外し不可能である）システム記憶、および／または、例えば、ポート（例えば、ＵＳＢポート、Ｆｉｒｅｗｉｒｅポート等）またはドライブ（例えば、ディスクドライブ等）を介して、システム１０ａに取り外し可能に接続可能である取り外し可能な記憶装置の一方あるいは両方を含んでもよい。電子記憶装置１３０は、光学的に読み取り可能な記憶媒体（例えば、光ディスク等）、磁気的に読み取り可能な記憶媒体（例えば、磁気テープ、磁気ハードドライブ、フロッピー（登録商標）ドライブ等）、電荷ベースの記憶媒体（例えば、ＥＰＲＯＭ、ＥＥＰＲＯＭ、ＲＡＭ等）、ソリッドステート記憶媒体（例えば、フラッシュドライブ等）、および／または他の電子的に読み取り可能な記憶媒体のうちの１つ以上を含んでもよい。電子記憶装置１３０は、ソフトウェアアルゴリズム、プロセッサ１１０によって決定された情報、ユーザインターフェース１２０を介して受信された情報、および／またはシステム１０ａが適切に機能することを可能にする他の情報を記憶してもよい。例えば、電子記憶装置１３０は、音声情報および／または電子オーディオファイル（本明細書のいずれかに論じられるように）、および／または他の情報を記憶してもよい。電子記憶装置１３０は、システム１０ａ内の別個の構成要素であってもよく、または電子記憶装置１３０は、システム１０ａの１つ以上の他の構成要素（例えば、プロセッサ１１０）と一体的に提供されてもよい。
【００３３】
図２におけるシステム１０ａのユーザインターフェース１２０は、システム１０ａとユーザ（例えば、ユーザ１０８、対象１０６、介護者、治療決定者等）との間のインターフェースを提供するように構成され、そのインターフェースを通して、ユーザは、システム１０ａに情報を提供し、システム１０ａから情報を受信することができる。これは、集合的に「情報」と称されるデータ、結果、および／または命令ならびに任意の他の通信可能アイテムが、ユーザとシステム１０ａとの間で通信されることを可能にする。ユーザ１０８に伝達され得る情報の例は、再生モジュール１１２によって作成される音声信号の音量および／または強度を示すものである。ユーザインターフェース１２０内に含むために好適なインターフェースデバイスの例として、キーパッド、ボタン、スイッチ、キーボード、ノブ、レバー、ディスプレイ画面、タッチスクリーン、スピーカ、マイクロホン、インジケータライト、可聴アラーム、およびプリンタが挙げられる。情報は、ユーザインターフェース１２０によって、聴覚信号、視覚信号、触知信号、および／または他の感覚信号の形態において、ユーザ１０８または対象１０６に提供されてもよい。
【００３４】
配線接続または無線のいずれかの他の通信技法もまた、本明細書では、ユーザインターフェース１２０として想定されることを理解されたい。例えば、一実施形態では、ユーザインターフェース１２０は、電子記憶装置１３０によって提供される取り外し可能な記憶インターフェースと統合されてもよい。本例では、情報は、取り外し可能な記憶装置（例えば、スマートカード、フラッシュドライブ、取り外し可能なディスク等）からシステム１０ａ内にロードされ、ユーザ（単数または複数）がシステム１０ａをカスタマイズすることを可能にする。ユーザインターフェース１２０としてシステム１０ａと併用するために適合された他の例示的入力デバイスおよび技法として、ＲＳ−２３２ポート、ＲＦリンク、ＩＲリンク、モデム（電話、ケーブル、Ｅｔｈｅｒｎｅｔ（登録商標）、インターネット、またはその他）が挙げられるが、それらに限定されない。要するに、情報をシステム１０ａと通信するための任意の技法が、ユーザインターフェース１２０として想定される。
【００３５】
図４は、治療を対象１０６に提供し、かつ／または対象１０６における健康効果を増進させるためのシステム１０ｂを概略的に図示する。システム１０ｂは、本体８５、支持構造８５ｂ、１つ以上の支持柱４２、支持構造４４、１つ以上の上昇メカニズム４３、および／または他の構成要素のうちの１つ以上を含んでもよい。図４における本体８５は、前述の図１または図２における本体８５と類似または実質的に同一であってもよい。具体的には、図４における本体８５は、図１または図２の本体８５に関連して本明細書に説明された特徴、機能、および／または構造のうちの任意のものを含んでもよい。図４を参照すると、本体８５の１つ以上のワイヤは、電磁場が本体８５の環状体形状の重心またはその近傍に生成されるように、ワイヤの導線を通して電流を受け取るように構成される。電磁場は、治療を対象１０６に提供し、かつ／または対象１０６における健康効果を増進させる。
【００３６】
支持構造４４は、対象１０６、支持柱４２、本体８５、および／またはシステム１０ｂの他の構成要素のうちの１つ以上を支持するように構成されてもよい。いくつかの実施形態では、支持構造４４は、プラットフォームおよび／またはベースを含んでもよい。
【００３７】
支持構造８５ａは、本体８５を支持するように構成されてもよい。支持構造８５は、支持柱４２、上昇メカニズム４３、および／または支持構造４４のうちの１つ以上に機械的に結合するように構成されてもよい。いくつかの実施形態では、支持構造８５ａは、棚および／またはトレイを含んでもよい。支持構造８５ａは、支持構造８５ａおよび本体８５が通路内および／またはその内側の対象１０６の位置に対して移動され得るように、本体８５を通して形成された通路と一致する開放区域を中心に含んでもよい。言い換えると、本体８５は、対象１０６の周囲に配置され、かつ／または対象１０６の異なる身体部分を覆うように上下に移動してもよい。例えば、支持構造８５ａおよび本体８５の移動は、図４に描写されるように、実質的に垂直方向であってもよい。本例は、限定であると意図されないことに留意されたい。対象１０６が実質的に水平位置に置かれる実施形態もまた、想定される。そのような場合、本体８５、支持構造８５ａ、支持柱４２、および／または他の構成要素を含み得る他の構成要素の位置は、適宜、調節されてもよい。
【００３８】
支持柱４２は、本体８５、支持体８５ａ、上昇メカニズム４３、および／またはシステム１０ｂの他の構成要素のうちの１つ以上を支持するように構成されてもよい。図４における２つの支持柱４２の描写は、限定であると意図されない。
【００３９】
上昇メカニズム４３は、所定の様式または経路において、本体８５および／または支持構造８５ａを移動させるように構成されてもよい。例えば、所定の経路は、図４に描写され、かつ上昇メカニズム４３近傍の矢印によって示されるように、上下であってもよい。図４における２つの上昇メカニズム４３の描写は、限定であると意図されない。いくつかの実施形態では、上昇メカニズム４３は、電気モータおよび／またはリフトを含んでもよい。
【００４０】
システム１０ｂの動作の間の１つ以上の上昇メカニズム４３の制御は、対象１０６および／または支持構造４４に対する開始位置の決定、システム１０ｂの配向および位置に対する本体８５および／または支持体８５ａの移動方向の決定、移動速度の決定、（例えば、対象１０６の特定の身体部分に関連する）移動範囲の決定、対象１０６（全部または一部）を横断するスイープ数の決定、本体８５の位置に応じて、あるいは対象１０６の異なる部分に沿って変動し得る使用される電磁場に対応する強度レベル、周波数、および／または特定の音声情報、ならびに／またはシステム１０ｂの他の動作条件の決定のうちの１つ以上を含んでもよい。例えば、特定の対象の特定の腰痛を処置するために、上昇メカニズム４３は、意図された処置区域の中心において開始するように制御されてもよく、続いて、本体８５および／または支持体８５ａに対して意図されるように、所定の期間または所定のスイープ数の間、中心の両側の所定の移動範囲、例えば、１０インチの範囲を横断してスイープすることにより、処方される処置を提供するように制御されてもよい。いくつかの実施形態では、システム１０ｂの動作条件の制御は、プロセッサによって実行されるコンピュータプログラムモジュールによって実装されてもよい。例えば、特定の腰痛に関連して上記に説明された一式のスイープは、コンピュータプログラムモジュールによってプログラムに従って制御されてもよい。
【００４１】
図３は、治療を対象に提供する方法３００を図示する。以下に提示される方法３００の動作は、例証であることが意図される。特定の実施形態では、方法３００は、説明されない１つ以上の付加的動作を伴って、かつ／または、論じられた動作のうちの１つ以上を伴わずに、達成されてもよい。加えて、方法３００の動作が、図３に図示され、かつ、以下に説明されている順序は、限定であると意図されない。
【００４２】
特定の実施形態では、方法３００は、１つ以上の処理デバイス（例えば、デジタルプロセッサ、アナログプロセッサ、情報を処理するように設計されたデジタル回路、情報を処理するように設計されたアナログ回路、状態機械、および／または情報を電子的に処理するための他のメカニズム）内に実装されてもよい。１つ以上の処理デバイスは、電子記憶媒体上に電子的に記憶された命令に応答して、方法３００の動作の一部または全部を実行する１つ以上のデバイスを含んでもよい。１つ以上の処理デバイスは、方法３００の動作のうちの１つ以上の実行のために特に設計されたハードウェア、ファームウェア、および／またはソフトウェアを通して構成された１つ以上のデバイスを含んでもよい。
【００４３】
動作３０２では、本体は、対象および／または対象の身体部分の一方あるいは両方に、もしくはその近傍に配列される。本体は、２つの絡み合った螺旋状に巻かれたランナと、伝導性ワイヤとを含む。ランナは、ランナあたり少なくとも２回の完全な回転に配列される。本体は、重心を有する環状体形状に配列される。ワイヤは、第１のランナによって保持される。ワイヤは、第１のランナの周囲に渦巻状に巻かれる。ワイヤは、電流源に電気的に結合され、ワイヤを通して第１の電流を受け取るように構成された２つの導線を有する。一実施形態では、動作３０２は、（図２に図示され、上記に説明された）システム１０のユーザによって行なわれる。
【００４４】
動作３０４では、電流が、ワイヤの２つの導線に供給され、それによって、治療を対象に提供する電磁場が、重心またはその近傍に生成される。一実施形態では、動作３０４は、（図１に図示され、上記に説明された）電流源１１と類似または実質的に同一の電流源によって行なわれる。
【００４５】
本発明は、現在、最も実践的かつ好ましい実施形態と見なされるものに基づいて、例証の目的のために詳細に説明されたが、そのような詳細は、もっぱらそのような目的のためのものであり、本発明は、開示される実施形態に限定されないが、添付の特許請求の範囲の精神および範囲内にある修正および同等の配列を網羅することを意図することを理解されたい。例えば、本発明は、可能な範囲において、任意の実施形態の１つ以上の特徴が、任意の他の実施形態の１つ以上の特徴と組み合わせられることができることを想定することを理解されたい。
【図１】
0005809761.tif 000002
【図２】
0005809761.tif 000003
【図３】
0005809761.tif 000004
【図４】
0005809761.tif 000005